(57)【要約】【課題】静翼と内外輪との結合手段を工夫してタービン効率を損なうことなく組み立て効率に優れる蒸気タービン仕切板を提供すること。【解決手段】外輪６、静翼７、内輪９は、それぞれの嵌合部Ｃ（Ｅ）、Ｄ（Ｇ）、Ａ（Ｆ）、Ｂ（Ｇ）とが嵌合される。仕切板４、５の組み立て時には、１８０度分ずつの外輪６、内輪９、１０の周方向からサイドエントリーし、コーキング２３、２４等で固定する。また、静翼７、８と内輪９、１０は、少なくとも一つ以上の嵌合部において、嵌合によって重なる部分をピン２５、２６で貫き結合する。これにより、静翼の位置ずれ、倒れを防止でき、静翼と内輪との嵌合は、確実ならしめられる。このようにすれば、仕切板４、５の組み立て効率、メンテナンス時の作業効率を著しく向上させることが可能となる。さらに、溶接や焼鈍作業も省略することができ、磨いた静翼７、８の面粗度を悪化させることがなくなる。【選択図】        図１
2006207597.tif 000002
【特許請求の範囲】
【請求項１】
内周側にロータ軸との隙間を塞ぐシールが付設され、外周側に嵌合部Ａを有する概ドーナツ状の内輪と、
前記内輪の前記嵌合部Ａに嵌合する嵌合部Ｂを、タービンに付設された状態の径方向内側に有する静翼と、
を有することを特徴とする蒸気タービン仕切板。
【請求項２】
外周側が車室内壁に組み付けられ、内周側に嵌合部Ｃを有する概ドーナツ状の外輪と、
前記外輪の前記嵌合部Ｃに嵌合する嵌合部Ｄをタービンに付設された状態の径方向外側に有する静翼と、
を有することを特徴とする蒸気タービン仕切板。
【請求項３】
外周側が車室内壁に組み付けられ、内周側に嵌合部Ｅを有する概ドーナツ状の外輪と、
内周側にロータ軸との隙間を塞ぐシールが付設され、外周側に嵌合部Ｆを有する概ドーナツ状の内輪と、
前記外輪の前記嵌合部Ｅと、前記内輪の前記嵌合部Ｆとのそれぞれに嵌合する嵌合部Ｇをタービンに付設されたときの径方向両端に有する静翼と、
を有することを特徴とする蒸気タービン仕切板。
【請求項４】
前記静翼と前記内輪との嵌合部は、前記内輪の厚み中心部で嵌合できる形状であることを特徴とする請求項１または３に記載の蒸気タービン仕切板。
【請求項５】
前記静翼と前記内輪との嵌合部は、嵌合によって重なる部分をピンで貫き結合したことを特徴とする請求項１、３、４のいずれか一項に記載の蒸気タービン仕切板。
【請求項６】
前記静翼を複数配列して構成される静翼列は、前記内輪のタービン軸方向側面において径方向に突出するように付設されるキーによって係止されることを特徴とする請求項１、３、４のいずれか一項に記載の蒸気タービン仕切板。
【発明の詳細な説明】
【技術分野】
【０００１】
本発明は、蒸気タービン仕切板に関し、さらに詳しくは、静翼と内外輪との結合手段を工夫してタービン効率を損なうことなく組み立て効率に優れる蒸気タービン仕切板に関する。
【背景技術】
【０００２】
図６は、従来の蒸気タービン仕切板を示すタービン断面図である。一般的にタービンの内部構造は、蒸気の通路に静翼７１、７２と動翼７３、７４、７５を交互に複数段設けて構成される。動翼７３、７４、７５はロータ軸７６と一体となっており、蒸気圧力を受けてロータ軸７６を回転させる。動翼７３（または７４）と動翼７４（または７５）の間には、仕切板（ディスク）７７が設けられ、蒸気を整流すると共に、動翼７３、７４、７５間の機密性を保っている。なお、同図に示すように、仕切板７７は複数段連結されて設けられる場合もある。
【０００３】
この仕切板７７は、ノズルの役目を果たす静翼７１、７２と、動翼７３、７４、７５間の機密性保持のためのシール７８、７９が付設される内輪８０、８１と、車室８２に対して静翼を固定させる外輪８３とで構成される。内輪８０、８１は、静翼７１、７２の静剛性、動剛性を確保するため、およびリーク量を低減するため等に設けられるが、タービンの種類によっては設けられない場合もある。静翼７１、７２は、削り出しで形成され、その後に手作業による磨き工程に付されて製作されるものである。
【０００４】
これら、内輪８０、８１、静翼７１、７２、外輪８３は、図中の溶接記号８４の箇所で溶接されて結合される。また、溶接後には歪み除去のために焼鈍がされる。なお、仕切板７７は、ロータ軸７６を囲うようにドーナツ状に形成されるので、組み立て時を考慮し、１８０度ずつ２分割して製作される（たとえば、特許文献１）。
【０００５】
【特許文献１】特開平１１−３４３８０７号公報
【発明の開示】
【発明が解決しようとする課題】
【０００６】
しかしながら、従来の蒸気タービン仕切板７７では、静翼７１、７２を何十枚も溶接して組み立てたり、メンテナンス時に仕切板７７を一体として取り扱わなくてはならないので製作効率並びに補修作業効率が悪かった。また、溶接後には歪み除去のための焼鈍工程が不可欠であり、この焼鈍工程は、磨いた静翼７１、７２の面粗度を悪化させてしまうという問題点があった。
【０００７】
静翼７１、７２の面粗度は蒸気タービンにとって、タービン効率に影響を与える要因の一つであり、焼鈍後にさらに磨くのも作業的に困難である。最新の圧力分布解析によれば、静翼７１、７２は必ずしも溶接によって外輪８３、内輪８０、８１と固結させる必要がないことがわかってきた。
【０００８】
そこで、この発明は、上記に鑑みてなされたものであって、静翼７１、７２と内外輪８０、８１、８３との結合手段を工夫してタービン効率を損なうことなく組み立て効率に優れる蒸気タービン仕切板を提供すること、製作工期の大幅な短縮による低コスト化を達成することのうち少なくとも一つを目的とする。
【課題を解決するための手段】
【０００９】
上述の目的を達成するために、請求項１にかかる蒸気タービン仕切板は、内周側にロータ軸との隙間を塞ぐシールが付設され、外周側に嵌合部Ａを有する概ドーナツ状の内輪と、前記内輪の前記嵌合部Ａに嵌合する嵌合部Ｂを、タービンに付設された状態の径方向内側に有する静翼と、を有するようにしたものである。
【００１０】
この発明では、内輪が、その外周側に凹形状、凸形状、Ｔ字溝形状等の嵌合部Ａを有し、一方、静翼が、その径方向内側に凸形状、凹形状、Ｔ字突起形状等の嵌合部Ｂを有する。蒸気タービン仕切板は、これら静翼と内輪との嵌合によって構成される。これにより、蒸気タービン仕切板は、その剛性が十分に確保されると共に、組み立て、分解の効率を著しく向上させる。また、組み立て、分解の効率が著しく向上する結果、製作工期の大幅な短縮による低コスト化も達成できる。なお、ここで嵌合とは、たとえばＴ字溝形状とＴ字突起形状との係合をも含む概念である。
【００１１】
また、請求項２にかかる蒸気タービン仕切板は、外周側が車室内壁に組み付けられ、内周側に嵌合部Ｃを有する概ドーナツ状の外輪と、前記外輪の前記嵌合部Ｃに嵌合する嵌合部Ｄをタービンに付設された状態の径方向外側に有する静翼と、を有するようにしたものである。
【００１２】
この発明では、外輪が、その内周側に凹形状、凸形状、Ｔ字溝形状等の嵌合部Ｃを有し、一方、静翼が、その径方向外側に凸形状、凹形状、Ｔ字突起形状等の嵌合部Ｂを有する。蒸気タービン仕切板は、これら外輪と静翼との嵌合によって構成される。これにより、蒸気タービン仕切板は、その剛性が十分に確保されると共に、組み立て、分解の効率を著しく向上させる。なお、ここで嵌合とは、請求項１にかかる発明と同様に、たとえばＴ字溝形状とＴ字突起形状との係合をも含む概念とする。
【００１３】
また、請求項３にかかる蒸気タービン仕切板は、外周側が車室内壁に組み付けられ、内周側に嵌合部Ｅを有する概ドーナツ状の外輪と、内周側にロータ軸との隙間を塞ぐシールが付設され、外周側に嵌合部Ｆを有する概ドーナツ状の内輪と、前記外輪の前記嵌合部Ｅと、前記内輪の前記嵌合部Ｆとのそれぞれに嵌合する嵌合部Ｇをタービンに付設されたときの径方向両端に有する静翼と、を有するようにしたものである。
【００１４】
この発明では、外輪と内輪が、それぞれその内周側と外周側に凹形状、凸形状、Ｔ字溝形状等の嵌合部Ｅ、Ｆを有し、一方、静翼が、その径方向外側に凸形状、凹形状、Ｔ字突起形状等の嵌合部Ｇ、Ｈを有する。これらをそれぞれ嵌合させることにより、溶接工程を経ずに蒸気タービン仕切板を構成することができる。したがって、溶接後の焼鈍工程も省けることになる。
【００１５】
また、外輪と静翼と内輪とが嵌合によって構成される蒸気タービン仕切板は、その剛性も十分に確保されると共に、組み立て、分解の効率を著しく向上させる。なお、ここで嵌合とは、上記にかかる発明と同様の概念である。
【００１６】
また、請求項４にかかる蒸気タービン仕切板は、請求項１または３に記載の蒸気タービン仕切板において、前記静翼と前記内輪との嵌合部は、前記内輪の厚み中心部で嵌合できる形状としたものである。
【００１７】
この発明では、当該嵌合部が、内輪の厚み中心部に設けられる。ここで、内輪の厚み中心部とは、内輪の厚みを２分する仮想線をまたぐ一定の部分をいう。この厚み中心部に嵌合部を設けることにより、蒸気通路の圧力変化に起因する内輪への力が静翼に影響を与えにくくなる。
【００１８】
また、請求項５にかかる蒸気タービン仕切板は、請求項１、３、４のいずれか一項に記載の蒸気タービン仕切板において、前記静翼と前記内輪との嵌合部は、嵌合によって重なる部分をピンで貫き結合したものである。
【００１９】
静翼と内輪との嵌合部は、静翼の数だけ存在するが、そのうちの少なくとも一つ以上の嵌合部において、嵌合によって重なる部分をピンで貫き結合する。これにより、静翼の位置ずれ、倒れを防止する。
【００２０】
また、請求項６にかかる蒸気タービン仕切板は、請求項１、３、４のいずれか一項に記載の蒸気タービン仕切板において、前記静翼を複数配列して構成される静翼列は、前記内輪のタービン軸方向側面において径方向に突出するように付設されるキーによって係止されるようにしたものである。
【００２１】
静翼列が内輪から径方向に突出するキーによって係止されると、周方向に対して拘束されることになる。これによって、静翼列と内輪との相対的位置ずれがなくなる。また、静翼と内輪とは嵌合部同士の嵌合で結合されるから、それらの嵌合部との関係で、タービン軸方向にも拘束され、静翼列と内輪との倒れもなくなる。一方、静翼列内輪は径方向には拘束されることがない。なお、すべての静翼を内輪側からキーで係止する必要はない。  
【発明の効果】
【００２２】
以上説明したように、この発明にかかる蒸気タービン仕切板によれば、静翼と内輪との嵌合で蒸気タービン仕切板を構成することができるので、組み立て効率が著しく向上する他、メンテナンス時の効率も著しく向上する。特に摩耗することが当然に予想される内輪内側のシールをメンテナンスする際には、内輪のみ容易に外すことができるので、至極便利となる。
【００２３】
また、この発明にかかる蒸気タービン仕切板によれば、静翼と外輪との嵌合で蒸気タービン仕切板を構成することができるので、組み立て効率が著しく向上する他、メンテナンス時の効率も著しく向上する。特にメンテナンス時には、外輪を取り外さずに、隣設する動翼やその先端に付設される動翼シールに対して作業が可能となるので、至極便利である。
【００２４】
また、この発明にかかる蒸気タービン仕切板によれば、内輪、静翼、および外輪との互いの嵌合で蒸気タービン仕切板を構成することができるので、溶接工程を省くことができる。したがって、歪み除去等を目的とする焼鈍工程も省くことができ、従来目をつぶってきた静翼の面粗度悪化を防止することができる。また、この発明によれば、組み立て効率が著しく向上する他、メンテナンス時の効率も著しく向上する。特にメンテナンス時には、部分的に作業することも可能となり、至極便利である。
【００２５】
また、この発明にかかる蒸気タービン仕切板によれば、静翼と内輪との嵌合部が、前記内輪の厚み中心部で嵌合できる形状であるため、蒸気圧力によって内輪に力が加わっても、静翼に伝わりにくく、蒸気タービン仕切板の十分な剛性を確保できる。
【００２６】
また、この発明にかかる蒸気タービン仕切板によれば、静翼と内輪との嵌合部が、嵌合によって重なる部分をピンで貫き結合されるので、静翼の位置ずれ、倒れを防止することができる。これにより、静翼と内輪との嵌合は、確実ならしめられる。一方、静翼と内輪との嵌合によって構成される蒸気タービン仕切板には、ピンがタービン軸方向に突出することがなく、圧力損失を考慮する必要もない。
【００２７】
また、この発明にかかる蒸気タービン仕切板によれば、内輪と静翼が径方向に拘束されないので、熱膨張フリー構造を形成する。すなわち、起動時等の過渡状態において、温度差が発生した場合にでも、互いに拘束することが無いため、従来溶接構造よりも熱応力を小さくできる。また、静翼と内輪の嵌合部およびタービン軸方向側面に付設されるキーにより内輪の位置ずれがなく、芯を保持できる。さらに、内輪は嵌合部とキーによって支持されるので、内輪にかかる力が静翼にモーメントとして伝わりにくくなり、従来構造よりもノズルにかかる負担が少なくなる。
【発明を実施するための最良の形態】
【００２８】
以下、この発明につき図面を参照しつつ詳細に説明する。なお、この実施の形態によりこの発明が限定されるものではない。また、この実施の形態の構成要素には、当業者が置換可能かつ容易なもの、或いは実質的に同一のものを含む。
【実施例１】
【００２９】
図１は、この発明の実施の形態にかかる蒸気タービンの内部構造を示す断面図である。蒸気タービンの基本的な内部構造は従来と同様なので説明を省略し、蒸気タービン仕切板を中心に説明する。動翼１、２、３の間に設けられる仕切板４、５は、それぞれ外輪６、静翼７、８、内輪９、１０とで構成される。外輪６は、外周側が車室１１内壁に組み付けられ、内周側に嵌合部Ｃ（Ｅ）を有する概ドーナツ状の形状をしている。ここに示した外輪６は、２つの仕切板を連結する方式のものであるが、これに限らず各仕切板にそれぞれ設けられる場合も多い。
【００３０】
内輪９、１０は、内周側にロータ軸１４との隙間を塞ぐ炭素パッキンやラビリンスシール１５、１６が付設され、外周側に嵌合部Ａ（Ｆ）を有する概ドーナツ状の形状をしている。静翼７、８は、翼とそれを支持する部材から構成され、外輪６の前記嵌合部Ｃ（Ｅ）と、内輪の前記嵌合部Ａ（Ｆ）とのそれぞれに嵌合する嵌合部Ｄ（Ｇ）、嵌合部Ｂ（Ｇ）とをタービンに付設されたときの径方向両端に有する。
【００３１】
上記外輪６、静翼７、内輪９は、それぞれの嵌合部Ｃ（Ｅ）、嵌合部Ｄ（Ｇ）、嵌合部Ａ（Ｆ）、嵌合部Ｂ（Ｇ）が嵌合される。また、外輪６、静翼８、内輪１０は、それぞれの嵌合部Ｃ（Ｅ）、Ｄ（Ｇ）、嵌合部Ａ（Ｆ）、嵌合部Ｂ（Ｇ）が嵌合される。静翼７、８は単数、または複数ごとにブロック状になっているので、仕切板４、５の組み立て時には、１８０度分ずつの外輪６，内輪９、１０の周方向からサイドエントリーする。また、同図に示すような嵌合部Ａ（Ｆ）、嵌合部Ｂ（Ｇ）の形状であれば径方向に嵌合することもできる。
【００３２】
また、同図に示す静翼７、８と内輪９、１０との嵌合部Ａ（Ｆ）は、内輪９、１０の厚み中心部で嵌合できる形状であることも特徴の一つである。すなわち、同図のように嵌合部を形成すると、内輪９、１０が蒸気の圧力を受けてタービン軸方向に力を受けたときでも、その力が静翼７、８にモーメントとして伝わりにくくなる。したがって、静翼７、８にはスラスト力だけが作用することになり、静翼の強度設計が楽になり、剛性も十分に確保できる。なお、内輪の厚み中心部とは、内輪の厚みを２分する仮想線をまたぐ一定の部分をいう。
【００３３】
仕切板４、５は外輪６、静翼７、８、内輪９、１０を上記のように嵌合して構成され、外輪６と静翼７、８はコーキング２３、２４で周方向に固定される。一方、静翼７、８と内輪９、１０は、静翼７、８の枚数だけ存在するが、そのうちの少なくとも一つ以上の嵌合部Ｂ（Ｇ）、Ａ（Ｆ）において、嵌合によって重なる部分をピン２５、２６で貫き結合する。これにより、静翼の位置ずれ、倒れを防止でき、静翼と内輪との嵌合は、確実ならしめられる。また、このようにした仕切板４、５は、ピン２５、２６がタービン軸方向に突出することがなく、圧力損失を考慮する必要もない。
【００３４】
このように、仕切板４、５を嵌合部の嵌合によって構成することには、２つの大きな意義がある。その一つは、仕切板４、５の組み立て効率、メンテナンス時の作業効率を著しく向上させることが可能となる点である。従来は、５００度以上の温度で、高圧となる静翼７、８は、当然溶接にて外輪６に強固に結合させなくてはならないと考えられていた。しかし、最新のシミュレーション技術の進歩により、静翼７、８は、強度的に必ずしも溶接で結合する必要がないということがわかってきたのである。
【００３５】
もう一つは、静翼７、８を溶接で外輪６や内輪９、１０に固定する必要がなくなると、溶接後の焼鈍作業も省略することができるようになる点である。焼鈍作業は、溶接後の歪み除去等を目的として行われていたが、この作業は、削り出した後に手作業で磨いた静翼７、８の面粗度を悪化させてしまう。静翼７、８の面粗度はタービン効率に影響する一要因であり、面粗度が悪化すれば、タービン効率も悪化することが知られている。したがって、溶接、焼鈍という工程を省略する本発明は、従来に比べてタービン効率を向上させることができるものである。
【００３６】
以上は外輪６、静翼７、８、内輪９、１０のそれぞれを嵌合部同士で嵌合させて仕切板を構成する場合について説明したが、内輪を設けずに、外輪６と静翼７、８のみを嵌合させて仕切板を構成する場合もある。この場合でも当該嵌合により、蒸気タービン仕切板は、その剛性が十分に確保されると共に、組み立て、分解の効率を著しく向上させることができる。また、組立、分解の効率が著しく向上する結果、製作工期の大幅な短縮による低コスト化を達成できる。
【００３７】
また、上記とは反対に、静翼と内輪のみを嵌合させて仕切板を構成しても、上記と同様に組み立て効率が著しく向上する他、メンテナンス時の効率も著しく向上する。特に摩耗することが当然に予想される内輪内側のシールをメンテナンスする際には、内輪のみ容易に外すことができるので、至極便利となる。
【００３８】
図２−１〜図２−４は、外輪と静翼の嵌合部形状を示す断面図である。図２−１に示すタイプは、静翼側嵌合部Ｄ（Ｇ）が凸で、外輪側嵌合部Ｃ（Ｅ）が凹となっており、タービン軸方向に倒れを防止するために静翼側嵌合部Ｄ（Ｇ）が左右に小さな突部を有しているタイプである。図２−２に示すタイプは、ツリー型であり、図２−１に示すタイプの変形例ともいえる。図２−３に示すタイプは上記図２−１、図２−２に示すタイプとは反対に静翼側嵌合部Ｄ（Ｇ）が凹で、外輪側嵌合部Ｃ（Ｅ）が凸となっているタイプである。倒れ防止に外輪側に小さな突部を有している点は図２−１、図２−２のタイプと同様である。図２−４に示すタイプは、図２−３に示すタイプの変形例で静翼側に小さな突部を有しているタイプである。この他、外輪と静翼の嵌合部形状は様々な形状が考えられる。
【００３９】
図３−１〜図３−４は、静翼と内輪との嵌合部形状を示す断面図である。図３−１に示すタイプは、内輪側嵌合部Ａ（Ｆ）が凸で、静翼側嵌合部Ｂ（Ｇ）が凹となっているタイプである。図３−２に示すタイプは、図３−１に示すタイプの変形例で、内輪側嵌合部Ａ（Ｆ）がＴ字突起形状、静翼側嵌合部Ｂ（Ｇ）がＴ字溝形状となっている。図３−３に示すタイプは、図３−２に示すタイプの反対で、内輪側嵌合部Ａ（Ｆ）がＴ字溝形状、静翼側嵌合部Ｂ（Ｇ）がＴ字突起形状となっている。図３−４に示すタイプは、いわゆるストラドルツリー型で、静翼側嵌合部Ｂ（Ｇ）の突起形状が２段になっており、嵌合を安定化するためのストラドルを有するタイプである。このように、静翼と内輪との嵌合部形状も上記に限らず様々な形状が考えられる。
【００４０】
図４−１、図４−２は、静翼と内輪とのずれ防止構造を示す外観図および断面図であり、図４−１は、キーを用いたときの正面図および横断面図であり、図４−２は静翼をドーナツ状に配列したときの外観図である。これらの図に示すように、静翼４１を複数配列して構成される静翼４１の列は、内輪４２のタービン軸方向側面において径方向に突出するように付設されるキー４３によって係止される。
【００４１】
静翼４１の列が上記キー４３によって係止されると、周方向に対して拘束されることになる。これによって、静翼４１の列と内輪４２との相対的位置ずれがなくなる。また、静翼４１と内輪４２とは厚み中心部の嵌合部同士の嵌合で結合されるから、それらの嵌合部との関係で、タービン軸方向にも拘束され、静翼４１の列と内輪４２との倒れもなくなる。一方、静翼４１の列と内輪４２は径方向には拘束されることがない。なお、すべての静翼を内輪側からキーで係止する必要はなく、また、キーの位置は各静翼間の境目であってもよい。
【００４２】
以上のように静翼４１を内輪４２に対して拘束すれば、熱膨張に起因する熱伸びに対してもフリーな構造となる。すなわち、起動時等の過渡状態において、温度差が発生した場合にでも、静翼４１と内輪４２とが互いに拘束することが無いため、従来溶接構造よりも熱応力を小さくできる。また、静翼４１と内輪４２の嵌合部およびタービン軸方向側面に付設されるキー４３により内輪４２の位置ずれがなく、芯を保持できる。したがって、シール４４もロータ軸に対して適切なクリアランスを保持できる。
【００４３】
さらに、内輪４２は嵌合部とキー４３によって支持されるので、内輪４２にかかる力が静翼４１にモーメントとして伝わりにくくなり、従来構造よりもノズルにかかる負担が少なくなる。なお、内輪４２は嵌め込むだけなので、加工や組み立てが楽になり、材料の歩留まりも良くなる。また、従来と同様に内輪４２自体のねじれ剛性により、内輪４２や静翼４１にかかる圧力に対して十分な剛性を保持する。
【００４４】
図５は、上記仕切板の応用例を示す仕切板の断面図である。仕切板５０が外輪５１、静翼５２、内輪５３の嵌合部Ｃ（Ｅ）、嵌合部Ｄ（Ｇ）、嵌合部Ｂ（Ｇ）、嵌合部Ａ（Ｆ）を嵌合することによって構成されることは上記と同様である。この応用例では、圧電素子５８を静翼の嵌合部Ｄ（Ｇ）、Ａ（Ｆ）に付設している点が特徴である。圧電素子５８への配線５９は、静翼５２と外輪５１に穿設した孔を通しておく。
【００４５】
圧電素子５８は、電圧をかけることによって厚みが変化する。これを利用して、蒸気タービンの過渡時等において仕切板５０が熱伸びしたとき、通電する電圧を下げ、伸びを相殺することが可能となる。したがって、内輪５３の内周部に付設されるシール６０は、いつでもタービンのロータ軸６１と適切なクリアランスを保持でき、仕切板５０への熱応力も抑えられる。なお、圧電素子５８の付設位置は図示した位置に限らず、外輪５１と静翼５２の嵌合部、または静翼５２と内輪５３の嵌合部であればよい。
【００４６】
また、圧電素子５８は、これにかかる力を電圧として検出する装置としても利用できるので、仕切板５０のどの部分に力がかかっているか、それによってどのような変形状態になっているのかも検知できる。このように圧電素子５８を利用しても仕切板の姿勢、延いてはシール６０とロータ軸６１との適切なクリアランスの保持に役立てることができる。なお、圧電素子の代わりに適切な温度設定を施した形状記憶合金で仕切板５０の姿勢を保持するようにしてもよい。
【産業上の利用可能性】
【００４７】
以上のように、本発明にかかる蒸気タービン仕切板は、組み立て効率の向上、およびメンテナンス性の向上が可能な蒸気タービンの生産、使用に有用である。
【図面の簡単な説明】
【００４８】
【図１】この発明の実施の形態にかかる蒸気タービンの内部構造を示す断面図である。
【図２−１】外輪と静翼の嵌合部形状を示す断面図である。
【図２−２】外輪と静翼の嵌合部形状を示す断面図である。
【図２−３】外輪と静翼の嵌合部形状を示す断面図である。
【図２−４】外輪と静翼の嵌合部形状を示す断面図である。
【図３−１】静翼と内輪との嵌合部形状を示す断面図である。
【図３−２】静翼と内輪との嵌合部形状を示す断面図である。
【図３−３】静翼と内輪との嵌合部形状を示す断面図である。
【図３−４】静翼と内輪との嵌合部形状を示す断面図である。
【図４−１】静翼と内輪とのずれ防止構造を示す正面図および横断面図である。
【図４−２】静翼と内輪とのずれ防止構造を示す外観図である。
【図５】仕切板の応用例を示す仕切板の断面図である。
【図６】従来の蒸気タービン仕切板を示すタービン断面図である。
【符号の説明】
【００４９】
１、２、３、７３、７４、７５  動翼
４、５、５０、７７  仕切板
６、５１、８３  外輪
７、８、４１、５２、７１、７２  静翼
９、１０、４２、５３、８０、８１  内輪
１１、８２  車室
１５、１６、６０、７８、７９  シール
２３、２４  コーキング
２５、２６  ピン
４３  キー
５８  圧電素子
６１、７６  ロータ軸
Ａ（Ｆ）、Ｂ（Ｇ）、Ｃ（Ｅ）、Ｄ（Ｇ）  嵌合部
【図１】
2006207597.tif 000003
【図２−１】
2006207597.tif 000004
【図２−２】
2006207597.tif 000005
【図２−３】
2006207597.tif 000006
【図２−４】
2006207597.tif 000007
【図３−１】
2006207597.tif 000008
【図３−２】
2006207597.tif 000009
【図３−３】
2006207597.tif 000010
【図３−４】
2006207597.tif 000011
【図４−１】
2006207597.tif 000012
【図４−２】
2006207597.tif 000013
【図５】
2006207597.tif 000014
【図６】
2006207597.tif 000015